(57)【要約】      （修正有）【課題】流水の循環によって、光源の作動によって生じる熱を放出することができる集魚灯の放熱構造を提供する。【解決手段】少なくとも一つの光源１と、少なくとも一つの放熱台座２と、ケース３と、からなる。光源は、発光ダイオードである。放熱台座は、光源の下縁に配置されて、光源と結合される。また、放熱台座の底面には複数の放熱フィン２１が設けられる。ケースは、放熱台座底部に取り付けられるとともに、少なくとも一つの水進入口３１と少なくとも一つの水排出口を備える。また、ケースの内部には、流水を循環・進入排出する空間が形成される。ケースの水進入口と水排出口の間には、水遮蔽片が設けられる。流水は、ポンプモーターを介して、水進入口に進入し、ケース内部を通過した後、水排出口を介して排出され、放熱フィンにより温度が下がる。【選択図】図２
0003180363.tif 000002
【実用新案登録請求の範囲】
【請求項１】
少なくとも一つの光源と、少なくとも一つの放熱台座と、ケースとからなる集魚灯の放熱構造であって、
少なくとも一つの光源は、光束を照射して魚群を集め、
少なくとも一つの放熱台座は、前記光源下縁に配置されるとともに、前記光源と結合され、それにより光源の作動によって生じる熱を放散し、
ケースは、前記放熱台座底部に設けられるとともに、少なくとも一つの水進入口と、少なくとも一つの水排出口を備え、ケース内部には、流水を循環・進入排出させる空間が形成され、それにより放熱台座から放出される熱を冷却することを特徴とする、集魚灯の放熱構造。
【請求項２】
前記光源は発光ダイオードであることを特徴とする、請求項１に記載の集魚灯の放熱構造。
【請求項３】
前記放熱台座の底面には、複数の放熱フィンが設けられることを特徴とする、請求項１に記載の集魚灯の放熱構造。
【請求項４】
前記ケースの水進入口と水排出口の間には、水遮蔽片が設けられ、それにより、流水を拡散させ放熱台座内部に充満させることを特徴とする、請求項１に記載の集魚灯の放熱構造。
【請求項５】
前記水進入口は、ホースを介して、ポンプモーターに連結され、それにより、流水を、ホースを介して水進入口に進入させることを特徴とする、請求項１に記載の集魚灯の放熱構造。
【請求項６】
前記水排出口は、ホースを介して、流水を海へ戻すことを特徴とする、請求項１に記載の集魚灯の放熱構造。
【請求項７】
前記光源の外周には、光源から照射される光束に範囲と指向性をもたせるために、反射外フレームが設けられることを特徴とする、請求項１に記載の集魚灯の放熱構造。
【請求項８】
前記光源及び前記放熱台座及び前記ケースは、発光モジュールとなり、複数の前記発光モジュールの水進入口は相互に貫通して連結され、水排出口も相互に貫通して連結され、それにより、発光モジュール並列放熱構造を形成することを特徴とする、請求項１に記載の集魚灯の放熱構造。
【請求項９】
前記光源及び前記放熱台座及び前記ケースは、発光モジュールとなり、複数の前記発光モジュールの内の一つ目の発光モジュールの水排出口は、二つ目の発光モジュールの水進入口に貫通して連結され、二つ目の発光モジュールの水排出口は、三つ目の発光モジュールの水進入口に貫通して連結され、前述の連結関係は、最後の一つの発光モジュールまで続き、それにより、発光モジュール直列放熱構造を形成することを特徴とする、請求項１に記載の集魚灯の放熱構造。
【考案の詳細な説明】
【技術分野】
【０００１】
本考案は集魚灯の放熱構造に関し、特に流水の循環によって、光源の熱を放出することができる集魚灯の放熱構造に関する。
【背景技術】
【０００２】
魚の捕獲量を増やすために使われている集魚灯は、魚群を集めるための必須ツールである。従来の集魚灯に採用されているタングステン電球は、消費電力が高く、光が減衰しやすく、有毒な水銀物質と過度な量の紫外線光を放出するため、漁師の健康を害する。このため、現在、市場では、環境に優しい、高輝度、エネルギーを節約できる等の利点をもつＬＥＤ集魚灯によって、従来の集魚灯がとって代わられている。これにより、毎年、漁師は相当な量の燃料費用を節約できるうえ、漁師の体の健康と作業の安全も確保できる。
【０００３】
ＬＥＤ集魚灯は、従来の集魚灯に比べ、多くの進歩性と利点を有しているものの、作動する時に莫大な熱エネルギーが出力され、それを効果的に放出させることができないと、使用寿命が短くなる。また、それに取り付けられるファンやその他の放熱装置の放熱効果に限りがあり、材料コストやメンテナンスの問題を改善できていない。また、従来のＬＥＤ集魚灯の体積と重量は大きすぎるため、風を受ける面積が大きくなり、漁船の運航時に、積載重量が増えたり、船が揺れたりする問題が生じるため、従来の集魚灯或いは従来のＬＥＤ集魚灯は、改善の必要があるといえる。
【考案の概要】
【考案が解決しようとする課題】
【０００４】
そこで、本考案は、流水の循環によって、光源の作動によって生じる熱を放出することができる集魚灯の放熱構造を提供することを目的とする。
【課題を解決するための手段】
【０００５】
上述の目的を達成するために、本考案による集魚灯の放熱構造は、主に、少なくとも一つの光源と、少なくとも一つの放熱台座と、ケースと、からなる。光源は、発光ダイオードであり、光束を照射して魚群を集めることができる。放熱台座は、光源の下縁に配置されて、光源と結合される。また、放熱台座の底面には複数の放熱フィンが設けられ、光源の作動によって生じる熱を放出することができる。ケースは、放熱台座底部に取り付けられるとともに、少なくとも一つの水進入口と少なくとも一つの水排出口を備える。また、ケースの内部には、流水を循環・進入排出する空間が形成され、放熱台座が放出する熱を冷却することができる。ケースの水進入口と水排出口の間には、水遮蔽片が設けられ、それにより、流水を拡散させ放熱台座内部に充満させる。流水は、ポンプモーターを介して、水進入口に進入し、ケース内部を通過した後、水排出口を介して排出され、放熱フィンにより温度を下げる目的を達成することができる。
【０００６】
また、前記光源及び前記放熱台座及び前記ケースは、発光モジュールとなり、複数の前記発光モジュールの内の一つ目の発光モジュールの水排出口は、二つ目の発光モジュールの水進入口に貫通して連結され、二つ目の発光モジュールの水排出口は、三つ目の発光モジュールの水進入口に貫通して連結され、前述の連結関係は、最後の一つの発光モジュールまで続き、それにより、発光モジュール直列放熱構造を形成する。また、複数の発光モジュールの水進入口を相互に貫通させて連結させ、水排出口も相互に貫通させ連結させることで、発光モジュール並列放熱構造を形成させることができる。
【考案の効果】
【０００７】
以上の技術により、本考案は、従来のＬＥＤ集魚灯に比べ、さらに優れた放熱効果を備えている。また、海水を循環させて利用する方法により、環境保護と、エネルギーの節約、材料の節約、そして、メンテナンスがしやすいといった利点があるため、非常にすぐれた新規性と進歩性を有しているといえる。
【図面の簡単な説明】
【０００８】
【図１】本考案の実施例１の外観を示した斜視図である。
【図２】本考案の実施例１の構造を示した分解図である。
【図３】本考案の実施例１の一部を示した断面図である。
【図４】本考案の実施例１の側面を示した断面図である。
【図５】本考案の実施例２のシステムを示した構造図である。
【図６】本考案の実施例３のシステムを示した構造図である。
【考案を実施するための形態】
【０００９】
（実施例１）
図１と図２を参照する。図１は、本考案の実施例１の外観を示した斜視図である。図２は、本考案の実施例１の構造を示した分解図である。図から分かるように、本考案による集魚灯の放熱構造１００は、主に、少なくとも一つの光源１と、少なくとも一つの放熱台座２と、ケース３と、からなる。光源１は、発光ダイオードであり、それにより、光束を照射して魚群を集めることができる。その外周には、反射外フレーム４が設けられ、照射された光束に範囲と指向性をもたせることができる。放熱台座２は、光源１下縁に配置され、光源１と結合される。また、放熱台座２の底面には、複数の放熱フィン２１が設けられ、それにより、光源１の作動によって生じる熱を放出する。ケース３は、台座２の底部に設けられるとともに、少なくとも一つの水進入口３１と少なくとも一つの水排出口３２を備え、その内部には、流水を循環・進入排出させる空間が形成され、それにより、放熱台座２から放出される熱を冷却することができる。
【００１０】
図３と図４を参照する。図３は、本考案の実施例１の一部を示した断面図である。図４は、本考案の実施例１の側面を示した断面図である。図から分かるように、本考案による集魚灯の放熱構造１００のケース３内部の水進入口３１と水排出口３２の間には、水遮蔽片３３が設けられ、水進入口３１と水排出口３２の高さの位置は同じではない。このような設計にした主な目的は、進入してきた海水をまず拡散させ、放熱台座２内部に充満させた後、さらに、水排出口３２から海へ排出することで、放熱の目的を十分に達成させるためである。
【００１１】
（実施例２）
図１から図５を参照する。図５は、本考案の実施例２のシステムを示した構造図である。図から分かるように、本考案の光源１、及び、放熱台座２、及び、ケース３は、発光モジュールとみなされ、この複数の発光モジュール５１〜５４の水進入口５１１、５２１、５３１、５４１は、相互に連結されて貫通し、水排出口５１２、５２２、５３２、５４２も相互に連結されて貫通し、それにより、発光モジュール並列放熱構造１００ａを形成している。
【００１２】
その内、複数の発光モジュール５１〜５４の水進入口５１１、５２１、５３１、５４１は、ホースにより相互に貫通して連結されるとともに、ポンプモーター６に連結される。また、ポンプモーター６は、垂直に海の中に配置され、それにより、流水を、ホースを介して複数の発光モジュール５１〜５４の水進入口５１１、５２１、５３１、５４１に進入させることができる。なお、複数の発光モジュール５１〜５４の水排出口５１２、５２２、５３２、５４２は、ホースを介して相互に貫通して連結される。それにより、流水を、ホースを介して海へ戻すことができる。
【００１３】
（実施例３）
図１から図６を参照する。図６は、本考案の実施例３のシステムを示した構造図である。図から分かるように、本考案の光源１及び放熱台座２及びケース３は、発光モジュールとみなされる。この複数の発光モジュール５１〜５４内の一つ目の発光モジュール５１の水排出口５１２を、二つ目の発光モジュール５２の水進入口５２１に貫通させて連結させ、二つ目の発光モジュール５２の水排出口５２２を三つ目の発光モジュール５３の水進入口５３１に貫通させて連結させる。この連結関係は、最後の一つの発光モジュール５４まで続き、発光モジュール直列放熱構造１００ｂが形成される。
【００１４】
また、一つ目の発光モジュール５１の水進入口５１１は、ホースを介して、ポンプモーター６に連結され、ポンプモーター６は、垂直に海に配置され、それにより、流水を、ホースを介して、一つ目の発光モジュール５１の水進入口５１１に進入させることができる。最後の一つの発光モジュール５４の水排出口５４２は、ホースを介して、流水を海に戻す。なお、その他の複数の発光モジュール５１〜５４の間は、ホースを介して、相互に貫通して連結される。
【符号の説明】
【００１５】
１００        集魚灯の放熱構造
１００ａ      発光モジュール並列放熱構造
１００ｂ      発光モジュール直列放熱構造
１                   光源
２                   放熱台座
２１                 放熱フィン
３                   ケース
３１                 水進入口
３２                 水排出口
３３                 水遮蔽片
４                   反射外フレーム
５１〜５４    発光モジュール
５１１        水進入口
５１２        水排出口
５２１        水進入口
５２２        水排出口
５３１        水進入口
５３２        水排出口
５４１        水排出口
５４２        水排出口
６                   ポンプモーター
【図１】
0003180363.tif 000003
【図２】
0003180363.tif 000004
【図３】
0003180363.tif 000005
【図４】
0003180363.tif 000006
【図５】
0003180363.tif 000007
【図６】
0003180363.tif 000008